(57)【要約】【課題】ビス等を用いることなく、しかも通常姿勢となるように取り付け可能なリモコンを提供する。【解決手段】リモコン１は、略長方形盤状のリモコン本体２と、該リモコン本体２の左右両側方にそれぞれ配置された、タオルリング２０との係合体４Ｌ，４Ｒとを備えている。リモコン１は、操作面を前面としてタオルリング２０の内側に配置され、左右の係合体４Ｌ，４Ｒがそれぞれ該タオルリング２０に係合されることにより、タオルリング２０に保持される。【選択図】図１
2006104731.tif 000002
【特許請求の範囲】
【請求項１】
操作面を前面として設置される盤状のリモコンにおいて、
左右の両側部分に、棒状体と係合して該リモコンを該棒状体に保持させる係合体を備えたことを特徴とするリモコン。
【請求項２】
請求項１において、該係合体はリモコンの側方に張り出していることを特徴とするリモコン。
【請求項３】
請求項１において、該係合体はリモコンの背面側に配置されていることを特徴とするリモコン。
【請求項４】
請求項１ないし３のいずれか１項において、該係合体はリモコンの左右両側部分の上下にそれぞれ設けられていることを特徴とするリモコン。
【請求項５】
請求項１ないし４のいずれか１項において、該係合体は左右方向に変位可能とされていることを特徴とするリモコン。
【発明の詳細な説明】
【技術分野】
【０００１】
本発明は、電気機器等をリモートコントロールするためのリモコンに係り、特に操作面を前面として配置されるリモコンに関する。詳しくは、本発明は、トイレルームのタオルリング等の棒状体に保持させることが可能なリモコンに関する。
【背景技術】
【０００２】
便器に設けられた温水洗浄設備等をリモコンによって遠隔操作する方式は周知である。このトイレ用リモコンを壁に取り付けるために、壁にビス等でリモコンホルダを取り付け、このリモコンホルダにリモコンを装着することが多い。しかし、このようにビスを用いることは、賃貸住宅や新築住宅等にあっては忌避される傾向にある。
【０００３】
特開２０００−３１６７６０号公報の図７等には、ペーパーホルダにリモコンを保持させる構造が記載されているが、予めペーパーホルダとして特殊な構造のものを壁に取り付けてある場合しか適用できない。同号公報の図１１には、リモコンを紐で吊り下げることが記載されているが、リモコンが揺れ動くため、操作しにくい。また、同図ではリモコンが斜めになっており、リモコンのスイッチを視認すること自体容易ではなく、きわめて操作性が悪い。
【特許文献１】特開２０００−３１６７６０号公報
【発明の開示】
【発明が解決しようとする課題】
【０００４】
本発明は、ビス等を用いることなく、しかも通常姿勢となるように取り付け可能なリモコンを提供することを目的とする。
【課題を解決するための手段】
【０００５】
本発明のリモコンは、操作面を前面として設置される盤状のリモコンにおいて、左右の両側部分に、棒状体と係合して該リモコンを該棒状体に保持させる係合体を備えたことを特徴とするものである。
【０００６】
請求項２のリモコンは、請求項１において、該係合体はリモコンの側方に張り出していることを特徴とするものである。
【０００７】
請求項３のリモコンは、請求項１において、該係合体はリモコンの背面側に配置されていることを特徴とするものである。
【０００８】
請求項４のリモコンは、請求項１ないし３のいずれか１項において、該係合体はリモコンの左右両側部分の上下にそれぞれ設けられていることを特徴とするものである。
【０００９】
請求項５のリモコンは、請求項１ないし４のいずれか１項において、該係合体は左右方向に変位可能とされていることを特徴とするものである。
【発明の効果】
【００１０】
本発明のリモコンは、左右の両側部分に設けられた係合体をタオルリング等の棒状体に係合させる。これにより、リモコンをタオルリング等の棒状体に対し保持させることができる。
【００１１】
本発明では、リモコンは操作面が前面となるように保持されるため、スイッチを視認し易い。また、リモコンが棒状体に保持されるため、揺れ動いたりすることがなく、スイッチを操作し易い。
【００１２】
請求項２のように、この係合体がリモコンの側方に張り出している場合、リモコンをタオルリング内にすっぽりと納めるように配置してリモコンを該タオルリングに保持させることができる。このため、リモコンとタオルリングとの外観上の一体感が醸成され、美観が向上する。また、上下左右から手などがタオルリングに当っても、リモコンには直接には当らないので、リモコンの保持も安定したものとなる。
【００１３】
請求項３のリモコンにあっては、リモコンをタオルリングの前面側に配置し、該リモコンの背面側の係合体によって該リモコンをタオルリングに保持させることができる。このようにすれば、リモコンが使用者に近く位置することになり、リモコンを操作し易くなる。
【００１４】
請求項４のリモコンにあっては、リモコンが左右の上下に設けられた係合体によってタオルリング等に保持されるため、リモコンの保持が堅固なものとなる。
【００１５】
請求項５のリモコンによると、タオルリングの寸法に合わせて係合体を動かすことができるので、種々のタオルリングにリモコンを保持させることが可能となる。
【発明を実施するための最良の形態】
【００１６】
以下に、図面を参照して本発明の実施の形態について説明する。第１図は実施の形態に係るリモコンのタオルリングへの取付状態を示す斜視図、第２図はこのリモコンとタオルリングとの分解斜視図、第３図はこのリモコンの背面側の斜視図、第４図はリモコン本体と係合体との分解斜視図、第５図は第３図のＶ−Ｖ線に沿う断面図、第６図は第４図のVI−VI線に沿う断面図である。
【００１７】
なお、以下の説明において、左右方向とは、リモコンを正面から見たときの左右方向をいう。
【００１８】
この実施の形態では、リモコン１は、トイレルームの洋風便器に設けられた温水洗浄装置、フラッシュ装置及び便座開閉装置等をリモートコントロールするためのものである。
【００１９】
このリモコン１は、略長方形盤状のリモコン本体２と、該リモコン本体２の左右両側方にそれぞれ配置された、タオルリング２０との係合体４Ｌ，４Ｒとを備えている。該リモコン本体２の前面及び上面には、上記装置を操作するための各種スイッチＳ１〜Ｓ７が設けられている。
【００２０】
タオルリング２０は、丸棒状の棒状体を円環形状に曲成してなるものである。このタオルリング２０は、上部がブラケット２２に回動可能に保持され、該ブラケット２２を介してトイレルームの壁面に吊設されている。
【００２１】
この実施の形態では、リモコン本体２は、前面を前方（操作者側）へ向けた姿勢にてこのタオルリング２０の内側にすっぽりと入り込みうる大きさとなっている。なお、リモコン本体２の上下幅は、該リモコン本体２がタオルリング２０の内側に配置された状態において該リモコン本体２の下側にタオル２４を通すのに十分な幅の隙間が形成される大きさとなっている。
【００２２】
係合体４Ｌ，４Ｒは、それぞれ、該タオルリング２０を構成する棒状体に係合する係合部６Ｌ，６Ｒと、該係合部６Ｌ，６Ｒからリモコン本体２の中央側に延出した、該リモコン本体２への連結片８Ｌ，８Ｒとを有している。該係合部６Ｌ，６Ｒは、それぞれ、リモコン本体２の中央側を湾曲中心側として該棒状体と略同等の曲率にて湾曲しつつ、上下方向に延在している。また、第５図に示すように、該係合部６Ｌ，６Ｒは、それぞれ、リモコン１の背面側に開放した略Ｃ字形の水平断面形状を有している。これらの係合部６Ｌ，６Ｒは、弾性を有する材質よりなり、該背面側の開放部から内側に棒状体を受け入れるようにして該棒状体に弾性的に外嵌係合する。
【００２３】
第４図に示すように、連結片８Ｌ，８Ｒは、それぞれ、左右方向に延在する帯板状のものである。各連結片８Ｌ，８Ｒの上端面には、その前縁（連結片８Ｌ，８Ｒの前面側の辺縁）に沿って上方へ張り出す凸条８ａが延設され、下端面には、その前縁に沿って下方へ張り出す凸条８ｂが延設されている。
【００２４】
リモコン本体２の背面の左半側及び右半側には、それぞれ、該連結片８Ｌ，８Ｒが係合する連結溝１０Ｌ，１０Ｒが形成されている。該連結溝１０Ｌ，１０Ｒは、それぞれ、リモコン本体２の背面の中央付近から左右方向に延設されている。左側の連結溝１０Ｌの左端は、リモコン本体２の左側面に開放し、右側の連結溝１０Ｒの右端は、リモコン本体２の右側面に開放している。
【００２５】
第６図に示すように、各連結溝１０Ｌ，１０Ｒの上下の段差面と溝底面との隅部には、それぞれ、各連結片８Ｌ，８Ｒの上下の凸条８ａ，８ｂが係合する凹条１０ａ，１０ｂが形成されている。
【００２６】
連結片８Ｌ，８Ｒは、それぞれ、連結溝１０Ｌの左端及び連結溝１０Ｒの右端から、凸条８ａ，８ｂと凹条１０ａ，１０ｂとを係合させつつ、リモコン本体２の中央側へ向って差し込まれている。各連結片８Ｌ，８Ｒは、これらの連結溝１０Ｌ，１０Ｒに対し、挿抜方向（左右方向）に移動自在に係合している。
【００２７】
かかる構成のリモコン１をタオルリング２０に取り付けるに当っては、まず、係合体４Ｌ，４Ｒを左右に動かして、該タオルリング２０の寸法（直径）に合わせて左右の係合部６Ｌ，６Ｒ同士の間隔を調節する。次いで、リモコン本体２を、前面を前方（操作者側）へ向けてタオルリング２０の内側に位置させつつ、該係合部６Ｌ，６Ｒをそれぞれタオルリング２０の左右両側部に押し当て、該係合部６Ｌ，６Ｒをタオルリング２０に係合させる。これにより、リモコン１がタオルリング２０に保持される。
【００２８】
このリモコン１にあっては、リモコン本体２の前面が前方（操作者側）へ向くようにタオルリング２０に保持されるため、各スイッチＳ１〜Ｓ７を視認し易い。
【００２９】
この実施の形態では、係合体４Ｌ，４Ｒがリモコン本体２の左右の側方に配置されているので、リモコン１は、全体がタオルリング２０の内側にすっぽりと納まるように取り付けられる。このため、リモコン１とタオルリング２０との外観上の一体感が醸成され、美観が向上する。また、上下左右から手などがタオルリング２０に当っても、リモコン１には直接には当らないので、リモコン１の保持も安定したものとなる。
【００３０】
なお、このタオルリング２０の下部にはタオル２４が掛けられる。この場合、例えば、タオルリング２０にタオル２４を掛けた後、リモコン１を下方へスライドさせて該リモコン１とタオルリング２０の下部との間の隙間を小さくするか、又は該リモコン１でタオル２４を押さえるようにすることにより、タオル２４のタオルリング２０からの滑り脱落を防止ないし抑制することが可能となる。
【００３１】
第７図は別の実施の形態に係るリモコン１Ａの分解斜視図、第８図は第７図のVIII―VIII線に沿う断面図であり、第９〜１１図は、それぞれ、異なるタオルリングへのリモコン１Ａの装着例を示す平面図である。
【００３２】
この実施の形態では、リモコン１Ａは、略長方形盤状のリモコン本体２Ａと、該リモコン本体２Ａの背面の左半側及び右半側の上部並びに下部にそれぞれ配置された４個の係合体４Ａ，４Ｂ，４Ｃ，４Ｄとを備えている。
【００３３】
係合体４Ａ〜４Ｄは、それぞれ、棒状体に係合する係合部３０と、該係合部３０をリモコン本体２Ａに連結した連結片３２とを有している。該係合部３０は、背面側が開放した略Ｃ字形の弾性部材であり、該背面側の開放部から内側に棒状体を受け入れるようにして該棒状体に弾性的に外嵌係合する。この係合部３０は、連結片３２の後面に回動可能に連結されている。
【００３４】
連結片３２は、左右方向に延在する帯板状のものとなっている。この連結片３２の上端面には、その前縁（連結片３２の前面側の辺縁）に沿って上方へ張り出す凸条３４が延設され、下端面には、その前縁に沿って下方へ張り出す凸条３６が延設されている。
【００３５】
リモコン本体２の背面の左半側の上部及び下部、並びに右半側の上部及び下部には、それぞれ、該連結片３２が係合する連結溝３８Ａ，３８Ｂ，３８Ｃ，３８Ｄが形成されている。該連結溝３８Ａ〜３８Ｂは、それぞれ、リモコン本体２の背面の中央付近から左右方向に延設されている。左側の連結溝３８Ａ，３８Ｂの左端は、それぞれ、リモコン本体２Ａの左側面に開放し、右側の連結溝３８Ｃ，３８Ｄの右端は、それぞれ、リモコン本体２Ａの右側面に開放している。
【００３６】
第８図に示すように、各連結溝３８Ａ〜３８Ｄの上下の段差面と溝底面との隅部には、それぞれ、連結片３２の上下の凸条３４，３６が係合する凹条４０，４２が形成されている。
【００３７】
左側の係合体４Ａ，４Ｂの各連結片３２は、それぞれ、左側の連結溝３８Ａ，３８Ｂの左端から、凸条３４，３６と凹条４０，４２とを係合させつつ、リモコン本体２Ａの中央側へ向って差し込まれている。また、右側の係合体４Ｃ，４Ｄの各連結片３２は、それぞれ、右側の連結溝３８Ｃ，３８Ｄの右端から、凸条３４，３６と凹条４０，４２とを係合させつつ、リモコン本体２Ａの中央側へ向って差し込まれている。各連結片３２は、これらの連結溝３８Ａ〜３８Ｄに対し、挿抜方向（左右方向）に移動自在に係合している。
【００３８】
なお、この実施の形態では、各係合体４Ａ〜４Ｄは、それぞれ、係合部３０がリモコン本体２Ａの背後側から該リモコン本体２Ａの側方に張り出した位置まで変位可能となっている。
【００３９】
このリモコン１Ａのその他の構成は、前述の第１〜６図のリモコン１と同様となっている。
【００４０】
かかる構成のリモコン１にあっては、種々の大きさ及び形状のタオルリングに取り付けることができる。
【００４１】
例えば、第９図のように、リモコン本体２Ａが内側にすっぽりと納まる大きさのタオルリング２０Ａにリモコン１Ａを取り付ける場合には、各係合体４Ａ〜４Ｄをリモコン本体２Ａの側方へ張り出させてタオルリング２０Ａに係合させる。
【００４２】
第１０図のように、リモコン本体２Ａが内側に納まらない小さ目のタオルリング２０Ｂにリモコン１Ａを取り付ける場合には、各係合体４Ａ〜４Ｄをリモコン本体２Ａの背後側へ移動させてタオルリング２０Ｂに係合させる。
【００４３】
第１１図のように、三角形環状のタオルリング２０Ｃにリモコン１Ａを取り付ける場合には、該タオルリング２０Ｃの左右の斜辺の角度に合わせて、上側の左右の係合体４Ａ，４Ｃをリモコン本体２の中央側へ移動させると共に、下側の左右の係合体４Ｂ，４Ｄをリモコン本体２の側方へ張り出させ、それぞれ、該斜辺部分に係合させる。
【００４４】
このリモコン１Ａにあっては、係合体４Ａ〜４Ｄの各係合部３０をリモコン本体２Ａの背面側に配置しているので、リモコン１Ａは、タオルリングの前面よりも前方位置に取り付けられる。このため、リモコン１Ａが使用者に近く位置することになり、リモコン１Ａを操作し易い。
【００４５】
このリモコン１Ａにあっては、リモコン１Ａが左右の上下に設けられた係合体４Ａ〜４Ｄによってタオルリングに保持されるため、リモコン１Ａの保持が堅固なものとなる。
【００４６】
上記の各実施の形態はいずれも本発明の一例を示すものであり、本発明は上記の各実施の形態に限定されるものではない。
【図面の簡単な説明】
【００４７】
【図１】実施の形態に係るリモコンのタオルリングへの取付状態を示す斜視図である。
【図２】図１のリモコンとタオルリングとの分解斜視図である。
【図３】図１のリモコンの背面側の斜視図である。
【図４】図１のリモコン本体と係合体との分解斜視図である。
【図５】図３のＶ−Ｖ線に沿う断面図である。
【図６】図４のVI−VI線に沿う断面図である。
【図７】別の実施の形態に係るリモコンの分解斜視図である。
【図８】図７のVIII―VIII線に沿う断面図である。
【図９】図７のリモコンのタオルリングへの装着例を示す平面図である。
【図１０】図７のリモコンのタオルリングへの装着例を示す平面図である。
【図１１】図７のリモコンのタオルリングへの装着例を示す平面図である。
【符号の説明】
【００４８】
１，１Ａ  リモコン
２，２Ａ  リモコン本体
４Ｌ，４Ｒ，４Ａ〜４Ｄ  係合体
６Ｌ，６Ｒ，３０  係合部
８Ｌ，８Ｒ，３２  連結片
１０Ｌ，１０Ｒ，３８Ａ〜３８Ｄ  連結溝
２０，２０Ａ〜２０Ｄ  タオルリング
【図１】
2006104731.tif 000003
【図２】
2006104731.tif 000004
【図３】
2006104731.tif 000005
【図４】
2006104731.tif 000006
【図５】
2006104731.tif 000007
【図６】
2006104731.tif 000008
【図７】
2006104731.tif 000009
【図８】
2006104731.tif 000010
【図９】
2006104731.tif 000011
【図１０】
2006104731.tif 000012
【図１１】
2006104731.tif 000013